(57)【要約】【課題】エジェクタピンのある金型を用いてブロックを成形した場合でもバリの影響によってベルト周囲に樹脂屑を飛散させて汚れを発生させたり、ベルトの組立工程において組立装置の誤動作につながるようなことのないブロックの構造を提供する。【解決手段】センターベルト３と、上ビームと下ビームをピラーによって連結し、センターベルト３を装着するための上下ビームとピラーによって囲まれた溝部を有する樹脂製のブロック２からなる高負荷伝動ベルト１において、ブロック２の成形金型からの脱型時にエジェクタピンが接する部位を凹部６とする。【選択図】図６
2006292169.tif 000002
【特許請求の範囲】
【請求項１】
エラストマー中に心線を埋設したセンターベルトと、上ビームと下ビームをピラーによって連結し、センターベルトを装着するための上下ビームとピラーによって囲まれた溝部を有する樹脂製のブロックからなる高負荷伝動ベルトにおいて、ブロックの成形金型からの脱型時にエジェクタピンが接する部位を凹部としたことを特徴とする高負荷伝動ベルト。
【請求項２】
ブロックに設ける凹部の深さが０．０５〜１ｍｍの範囲である請求項１記載の高負荷伝動ベルト。
【請求項３】
ブロックのベルト幅方向でピラーの幅の領域内に位置する凹部の深さをピラーの幅の領域外に位置する凹部の深さよりも浅く設定した請求項１〜２記載の高負荷伝動ベルト。
【請求項４】
ブロックのベルト幅方向でピラーの幅の領域内に位置する凹部の深さを０．０５〜０．５ｍｍの範囲とし、ピラーの幅の領域外に位置する凹部の深さを０．５〜１ｍｍの範囲内に設定した請求項３記載の高負荷伝動ベルト。
【発明の詳細な説明】
【技術分野】
【０００１】
本発明は、センターベルトの長手方向に沿って所定ピッチでブロックを固定した高負荷伝動ベルトに関し、詳しくは良好な外観形状を有するとともにベルトとして走行させた際に樹脂粉等が飛散して周囲を汚してしまうことのない高負荷伝動ベルトに係る。
【背景技術】
【０００２】
ベルト式無段変速装置に使用するベルトは、プーリのＶ溝幅を変えることによってプーリに巻きかかる有効径を変化させ変速比を調節する様な変速プーリに巻き掛けて使用するものであり、プーリからの側圧が大きくなるのでベルトは大きな側圧に耐えるものでなくてはならない。また、無段変速の用途以外にも通常のゴムベルトでは寿命が短くなりすぎるような高負荷伝動の用途には特別に高負荷に耐えうるようなベルトを用いる必要がある。
【０００３】
そのようなベルトとして使用されるものの中に、センターベルトにブロックを固定してベルト幅方向の強度を高めた引張伝動式の高負荷伝動ベルトがあり、具体的な構成としては、特許文献１に示すように心線をゴムなどのエラストマー中に埋設したセンターベルトにボルトやリベットなどの止着材を用いてセンターベルトに使用しているエラストマーよりも比較的硬質の樹脂素材からなるブロックを止着固定したものや、特許文献２のように両側面に一対のセンターベルトを挿入嵌合できるブロックをセンターベルトの長手方向にそって多数嵌合装着したベルトがある。
【０００４】
その他として、特許文献３に開示されているようなものがある。このベルトは、ブロックとプーリの接触する部分が、フェノール系樹脂を主とした樹脂成形材料からなっているものである。
【０００５】
このようなブロックはフェノール樹脂やエポキシ樹脂等の熱硬化樹脂からなるものやポリアミド樹脂等の熱可塑性樹脂からなるものなどがある。ブロックの成形は射出成形等の方法で成形されており、金型に樹脂原料を注入して固化することで成形しているが、成形後の金型からの脱型の際に、金型の成形体を接する面の要所要所に予め設けたエジェクタピンを設け、成形後にエジェクタピンが金型から突出することによって成形体を脱型している。
【０００６】
また、特許文献４はベルトの分野ではないが、金型にて樹脂製品を成形する際に金型とエジェクタピンとの隙間に樹脂が流れ込むことでバリが発生することと、その問題を解消する手段としてエジェクタピンの先端に傾斜を設けた形状とするといった手段が開示されている。
【０００７】
【特許文献１】実開平５−１９７０５号公報
【特許文献２】特開平５−２７２５９５号公報
【特許文献３】特開平８−７４９３５号公報
【特許文献４】特開２０００−３３６３６号公報
【発明の開示】
【発明が解決しようとする課題】
【０００８】
エジェクタピン４０は例えば図１１に示すように金型４１に設けた孔４２に最初はエジェクタピン４０が面一の状態で配置されており、脱型する時には図１１のようにエジェクタピン４０を金型４１の面から突出させるような構造である。樹脂原料を金型内に送り込むと、金型とエジェクタピンとの隙間４３に入り込んで成形体にバリとなって残ってしまう。
【０００９】
ブロック４４成形時のエジェクタピン４０に相当する位置の表面に例えば図１１に示すようなバリＢが発生すると、外観を悪くしてしまうことに加えて、ベルトとして組み立てて走行させることで、前後のブロックでこのバリが干渉して走行の乱れが生じたり、このバリがブロックから離脱してベルトの周囲に樹脂屑が飛散し汚れの原因となったりするという問題があった。その他、ブロックの自動組立工程等においてブロックの方向を間違えるなどバリによる突出で装置の誤動作を誘発するといった問題にもつながることがある。
【００１０】
また、成形を繰り返すうちに金型とエジェクタピンとの摺動で摩耗し両者の間の隙間が徐々に大きくなってくるのでバリの大きさが許容範囲を超えることが一つの原因となって金型の交換を余儀なくされ、金型の短命化も問題となる。
【００１１】
特許文献４の方法では金型とエジェクタピンとの隙間を小さくすることができてバリの問題を防止することができる。しかし、エジェクタピンや金型の摩耗につれてエジェクタピンの金型からの凹みが徐々に大きくなって金型の面との面一を保てなくなり、成形品にエジェクタピンの先端と同形状の凸部がバリとなって発生する。このバリはエジェクタピンと金型との隙間によるバリと異なりある程度のボリュームを有することから容易に除去することが困難である。
【００１２】
本発明では、エジェクタピンのある金型を用いてブロックを成形した場合でもバリの影響によってベルト周囲に樹脂屑を飛散させて汚れを発生させたり、ベルトの組立工程において組立装置の誤動作につながるようなことのないブロックの構造を提供することを課題とする。
【課題を解決するための手段】
【００１３】
以上のような課題を解決する為に本発明の請求項１では、エラストマー中に心線を埋設したセンターベルトと、上ビームと下ビームをピラーによって連結し、センターベルトを装着するための上下ビームとピラーによって囲まれた溝部を有する樹脂製のブロックとからなる高負荷伝動ベルトにおいて、ブロックの成形金型からの脱型時にエジェクタピンが接する部位を凹部としたことを特徴とする。
【００１４】
請求項２では、ブロックに設ける凹部の深さが０．０５〜１ｍｍの範囲である請求項１記載の高負荷伝動ベルトとしている。
【００１５】
請求項３では、ブロックのベルト幅方向でピラーの幅の領域内に位置する凹部の深さをピラーの幅の領域外に位置する凹部の深さよりも浅く設定した高負荷伝動ベルトとしている。
【００１６】
請求項４では、ブロックのベルト幅方向でピラーの幅の領域内に位置する凹部の深さを０．０５〜０．５ｍｍの範囲とし、ピラーの幅の領域外に位置する凹部の深さを０．５〜１ｍｍの範囲内に設定した高負荷伝動ベルトとしている。
【発明の効果】
【００１７】
本発明の高負荷伝動ベルトでは、ブロックを成形する際にエジェクタピンが接する部位を凹部としておくことで、金型とエジェクタピンとの隙間に原料樹脂が流れ込んで成形後にバリが発生したとしてもバリは凹部内に発生するのでブロックの該表面には突出することがなく、ベルト組立装置における誤動作の原因となるのを防止し、またベルト走行中における樹脂屑の発生も低減させることができるものである。
【００１８】
また、請求項２においては凹部の深さを所定の範囲に設定しており、金型とエジェクタピンにて発生したバリを十分に収容することができるとともに、ブロックの強度を大きく損ねてしまうことのない凹部とすることができる。
【００１９】
請求項３および請求項４では、センターベルト幅方向の中央に相当するピラーの幅の領域内において凹部の深さを浅く設定し、それ以外のピラーの幅の領域外において深めに設定している。ブロックのより大きな負荷がかかり強度の必要とされる領域においてバリを突出させることなく十分な強度を確保し、それ以外の部分ではバリの突出を防止することのみならずベルトの軽量化にもつながるような深さの凹部を設けることができる。
【発明を実施するための最良の形態】
【００２０】
以下、図面を参照しつつ本発明を具体的に説明する。
【００２１】
図１は、本発明に係る高負荷伝動ベルト１の一例を示す要部斜視図であり、図２は同じく要部側面図、図３はブロックの正面図、図４はブロックの凹部における断面図である。本発明の高負荷伝動ベルト１は、エラストマー４内に心線５をスパイラル状に埋設してなる同じ幅の二本のセンターベルト３ａ、３ｂと、このセンターベルト３ａ、３ｂに係止固定されている複数のブロック２とから構成されている。このブロック２の両側面２ａ、２ｂは、プーリのＶ溝と係合する傾斜のついた面となっており、駆動されたプーリから動力を受け取って、係止固定されているセンターベルト３ａ、３ｂを引張り、駆動側プーリの動力を従動側プーリに伝動している。
【００２２】
ブロック２は、上ビーム１１および下ビーム１２と、上下ビーム１１、１２の中央部同士を連結したピラー１３からなっており、ブロック２の両側面２ａ、２ｂの間と２ｃ、２ｄの間には一対のセンターベルト３ａ、３ｂを嵌めこむ溝部１４、１５が形成されている。また、溝部１５内の溝上面１６および溝下面１７にはセンターベルト３ａ、３ｂの溝上面に設けた凹条部１８と下面に設けた凹条部１９に係合する凸条部２０、２１に係合するようになっている。
【００２３】
また、本発明におけるブロック２は樹脂材のみからなっているもの、また樹脂材にアルミニウム合金などの金属などからなるインサート材を埋設したもののいずれでもよい。インサート材を埋設していないブロック２を用いた場合、インサート材を埋設したブロックを用いたベルトよりも、軽量化が可能なので高回転で使用してもベルトに発生する遠心力が小さいという優位点があり、自動二輪などの比較的軽負荷で高回転の用途に向いているが、インサート材を有していないので剛性が低いといった面があり、上下ビーム１１、１２に撓みが生じやすく、ブロックとセンターベルトとの嵌合におけるゆるみが発生しやすく両者の間で摩耗や発熱などの問題が発生するという欠点がある。
【００２４】
本発明においては図１、図２、図３および図４に示すようにブロックの表面に複数箇所の凹部６（６ａ、６ｂ、６ｃ、６ｄ、６ｅ、６ｆ）を有しており、この凹部はブロックを成形する際に金型のエジェクタピンとの接する箇所である。ブロックの成形時に金型内でエジェクタピンと接する箇所にはバリが発生する。それは図５に示すようにブロックを成形する金型は例えばブロックの前後方向中央部で分割された第１型３０と第２型３１とからなり、それらの金型３０、３１を併せて閉じた状態で樹脂原料を射出しキャビティ内を樹脂原料で満たしてその後冷却し脱型するという工程を採る。脱型の際には第１型３０に設けたエジェクタピン３３が突出することによって第１型３０から成形体を離脱させることができる。
【００２５】
ところが、図６に拡大図を示すようにエジェクタピン３３と第１型３０は摺動できるようになっていることから精度よくつくったとしても両者の間に隙間３４が存在し、溶融状態の樹脂原料がその隙間３４に流れ込んで成形体であるブロックのバリＢとなって発生する。
【００２６】
そこで本発明では第１型３０としてエジェクタピン３３の部分を含めたその周囲を突出させた凸部３５を有するものを用い、成形体においてはエジェクタピン３３の接する部分を凹部６としたものであり、そうすることによって金型３０とエジェクタピン３３との隙間３４に樹脂原料が流れ込んでバリＢが発生したとしてもそのバリＢは凹部６内に収容されて外面に突出することがないので外観的にはさほど目立つこともなく、自動組立装置を用いる場合でもバリが原因となって誤動作を生じるといった問題も防止することができる。またその様なブロックを用いたベルトを走行させた場合でも、バリがブロックから離脱しにくく周囲に樹脂屑を撒き散らすことも少なくなる。
【００２７】
この場合の凹部６の広さ（平面視の面積）はエジェクタピン３３の先の面積よりも大きく、金型においてエジェクタピン３３を取り囲む領域の厚みＷが０．１ｍｍ以上に設定することが好ましい。０．１ｍｍよりも小さくすると金型３０におけるエジェクタピン３３を含めた凸部３５でエジェクタピン３３の周囲を形成する部分の厚みが薄くなりすぎて強度的に不十分となるので好ましくない。
【００２８】
そして、エジェクタピン３３が複数存在する場合、複数のエジェクタピン３３の周囲に形成する凹部６を図７に示すように上ビーム１１、下ビーム１２の範囲内で連結させたり、図８に示すように上下ビーム１１、１２をあわせて連結させたりするような形態を採ることも可能である。
【００２９】
ただし、ブロック２の強度を考慮すれば凹部６は小さくするほうがよく、前記のエジェクタピン３３を取り囲む領域の厚みＷは１．０ｍｍ以内とすることがより好ましいといえる。
【００３０】
次に凹部６の深さは０．０５〜１ｍｍの範囲とする。０．０５ｍｍ未満であると発生したバリを収容しきれず外面に突出してしまうこと、１ｍｍを越える深さにするとブロックの強度低下への影響が大きくなりすぎるので好ましくない。
【００３１】
また、凹部６の深さを大きくするとブロック２の強度が低下するのは確かであるが、逆に深さを大きくすることによってブロックを軽量化することができる。ブロック２に設ける複数の凹部６の中でも比較的大きな応力がかかりやすくブロック２の強度を決めるのに大きな影響のある場所と、そうでない場所に分けることができる。ブロック２の強度に影響の大きい位置にある凹部６は強度を保持するために比較的深さの小さなものとし、そうでない箇所の凹部６は深さを大きめにとることによってブロック２の軽量化に寄与させることができる。
【００３２】
具体的には、図３においてブロック２のベルト幅方向で中央付近であるピラー１３の幅の領域Ｄ内に位置する凹部６ｂ、６ｅにおいて深さを小さなものとすることでバリＢが突出することなく且つブロック２の強度を確保し、それ以外のピラー１３の幅の領域Ｄの外である上下ビーム１１、１２のほとんど端部に位置する凹部６ａ、６ｃ、６ｄ、６ｆの深さを大きなものとすることでブロック２の軽量化にも寄与することができる。実際にはピラー１３の幅の領域Ｄ内に位置する凹部６ｂ、６ｅの深さは０．０５〜０．５ｍｍの範囲とし、ピラー１３の幅の領域Ｄ外に位置する凹部６ａ、６ｃ、６ｄ、６ｆの深さは０．５〜１ｍｍの範囲で設定することが好ましい。
【００３３】
図７や図８のブロックのように凹部６が連結して連続しているような場合でも、ブロック２の中央にいくにつれて凹部６の深さを徐々にもしくは段階的に浅くし、ベルト幅方向でピラー１３の幅の領域Ｄ内においては０．０５〜０．５ｍｍの範囲の深さに設定し、それ以外のピラー１３の幅の領域Ｄ外において０．５〜１ｍｍの範囲の深さに設定することが好ましい。
【００３４】
本発明におけるブロック２は樹脂を上記で説明したような所定形状に成形したものであり、インサート材の表面に樹脂材を被覆したブロックやブロック全部が樹脂材からなっているものを挙げることができる。
【００３５】
インサート材の表面に樹脂材を被覆したブロック２は、図示はしないがブロックと略同じエ字形状のインサート材を用い、少なくともブロック同士が接触する箇所やプーリとの接触箇所を樹脂材で被覆したものである。インサート材は、ブロック２の耐側圧性や曲げ剛性を持たせる部分となるインサート材であり、素材としてはアルミ合金、セラミックス、セラミックスとアルミニウムとの複合材料、炭素繊維強化樹脂や鉄などの素材が挙げられる。
【００３６】
耐側圧性や曲げ剛性を持たせるという面では金属材料が好ましく、金属材料の中ではアルミ合金の弾性率が７０００ｋｇｆ／ｍｍ２で比重が２．８であるのに対し、鉄は弾性率が２２０００ｋｇｆ／ｍｍ２で比重が７．８であり、強度的には鉄を用いるほうが高いといえるが、高速で回転するベルトにとって、ベルト重量は寿命に大きく影響を与えるため軽量化の面で有利なアルミ合金を用いることが好ましい。
【００３７】
樹脂材を所定の箇所に被覆配置する場合、ブロック２の大きさよりもひと回り小さい金属材料からなるインサート材を用いてそのほぼ全面を樹脂材で被覆したものでもよく、部分的に樹脂材を被覆配置したものに比べて、樹脂材の剥離などの問題が発生しにくいので好ましい形態ということができる。一方、ブロック２の軽量化という面からは部分的に樹脂材を被覆したものが有利である。
【００３８】
ブロック２としては樹脂材のみからなるインサート材を有していないブロック２を用いた場合、インサート材を埋設したブロックを用いたベルトよりも、軽量化が可能なので高回転で使用してもベルトに発生する遠心力が小さいという優位点があるが、自動二輪などの比較的軽負荷で高回転の用途に向いている。
【００３９】
樹脂材としては、比較的摩擦係数の大きく耐摩耗性に優れ、センターベルト３ａ、３ｂを構成するエラストマー４と比べると剛性の高い、具体的には硬度９０°ＪＩＳ  Ａ以上の硬質ゴム、硬質ポリウレタン樹脂、液晶樹脂、フェノール樹脂、エポキシ樹脂、ポリエステル樹脂、アクリル樹脂、メタアクリル樹脂、ポリアミド樹脂、ポリアミドイミド（ＰＡＩ）樹脂、ポリフェニレンスルフィド（ＰＰＳ）樹脂、ポリブチレンテレフタレート（ＰＢＴ）樹脂、ポリイミド（ＰＩ）樹脂、ポリエーテルスルフォン（ＰＥＳ）樹脂、ポリエーテルエーテルケトン（ＰＥＥＫ）樹脂等のゴムや合成樹脂が用いられる。
【００４０】
これらの中でもブロック２を効率よく製造するために射出成形法にて製造するには、ポリアミド樹脂のような熱可塑性樹脂を用いることになる。また低摩擦係数で耐摩耗性に優れ、剛性があるとともに曲げに対しても弾力性を有しており、簡単に破損してしまうことのない樹脂がよいということからすると、ポリアミド樹脂なかでも４，６−ナイロンが好ましいといえる。
【００４１】
また、これらの樹脂中に、綿糸、ポリアミド繊維やアラミド繊維等の化学繊維、ガラス繊維、金属繊維、カーボン繊維等からなる織布、フィラー、ウィスカ、シリカ、炭酸カルシウムなどの無機材料等を混入した強化樹脂からなる。
【００４２】
本発明では前述のようにブロックを形成する樹脂材中に繊維状の補強材やウィスカ状の補強材を配合することは可能であり、繊維状の補強材は１５〜４０重量％の範囲で配合する。１５重量％未満であると補強効果が少なくブロックの耐摩耗性が十分でないなどの問題があり、４０重量％を超えると樹脂への配合が困難になったり射出成形が困難になったりするなどの問題があるので好ましくない。
【００４３】
合成樹脂に配合する繊維状補強材としては、アラミド繊維、炭素繊維、ガラス繊維、ポリアミド繊維、ポリエステル繊維などを挙げることができる。その中でも前記のブロックを構成する樹脂で好ましい例である４，６−ナイロンと炭素繊維を組み合わせて用いることによって炭素繊維が４，６−ナイロンの吸水性の欠点を改善し、剛性を大幅に向上させることができて、且つ４，６−ナイロンの有する耐摩耗性、耐衝撃性、耐疲労性を生かすことができるものである。前記繊維状補強材として上記の有機繊維のほかにも酸化亜鉛ウィスカ、チタン酸カリウムウィスカ、ホウ酸アルミニウムウィスカなどの無機繊維を配合してもよい。
【００４４】
また、他にも二硫化モリブデン、グラファイト、フッ素系樹脂から選ばれてなる少なくとも一つを混入することによってもブロック２の潤滑性を向上させることができる。フッ素系樹脂としては、ポリ４フッ化エチレン（ＰＴＦＥ）、ポリフッ化エチレンプロピレンエーテル（ＰＦＰＥ）、４フッ化エチレン６フッ化プロピレン共重合体（ＰＦＥＰ）、ポリフッ化アルコキシエチレン（ＰＦＡ）等が挙げられる。
【００４５】
また、ブロック２の下ビームは屈曲を許容しベルトがプーリに巻きかかることができるようにしなければならず、ベルト走行方向の前後面の少なくともいずれか一方に傾斜面を設けている。傾斜面を設けることによってブロック同士が緩衝することなくベルトが屈曲することができる。
【００４６】
センターベルト３ａ、３ｂのエラストマー４として使用されるものは、クロロプレンゴム、天然ゴム、ニトリルゴム、スチレン−ブタジエンゴム、水素化ニトリルゴムなどの単一材またはこれらを適宜ブレンドしたゴムあるいはポリウレタンゴム等が挙げられる。そして、心体５としてはポリエステル繊維、ポリアミド繊維、アラミド繊維、ガラス繊維、スチールワイヤ等から選ばれたロープが用いられる。また、心体５はロープをスパイラル状に埋設したもの以外にも、上記の繊維の織布、編布や金属薄板等を使用することもできる。
【産業上の利用可能性】
【００４７】
ベルトに装着したブロックの複数方向の撓みをを抑えて割れを防止することができ、自動車や自動二輪車、農業機械の無段変速装置など、プーリの有効径が変化し大きなトルクを伝達するようなベルトとして適用することができる。
【図面の簡単な説明】
【００４８】
【図１】本発明の高負荷伝動ベルトの要部斜視図である。
【図２】本発明の高負荷伝動ベルトの側面図である。
【図３】本発明に用いられるブロックの正面図である。
【図４】ブロックの凹部位置での断面図である。
【図５】ブロックを成形する金型の断面図である。
【図６】エジェクタピン付近の拡大図である。
【図７】本発明に用いられるブロックの別の例を示す正面図である。
【図８】本発明に用いられるブロックの更に別の例を示す正面図である。
【図９】従来の金型の断面図である。
【図１０】エジェクタピンが突出したところの図７に相当する断面図である。
【図１１】従来のブロックの図４に相当する断面図である。
【符号の説明】
【００４９】
１    高負荷伝動ベルト
２    ブロック
３ａ  センターベルト
３ｂ  センターベルト
４    エラストマー
５    心体
６    凹部
１１  上ビーム部
１２  下ビーム部
１３  センターピラー
１４  嵌合溝
１５  嵌合溝
１６  溝上面
１７  溝下面
１８  凹条部
１９  凹条部
２０  凸条部
２１  凸条部
３０  第１型
３１  第２型
３３  エジェクタピン
３４  隙間
３５  凸部
Ｂ    バリ
Ｄ    ピラーの幅の領域
【図１】
2006292169.tif 000003
【図２】
2006292169.tif 000004
【図３】
2006292169.tif 000005
【図４】
2006292169.tif 000006
【図５】
2006292169.tif 000007
【図６】
2006292169.tif 000008
【図７】
2006292169.tif 000009
【図８】
2006292169.tif 000010
【図９】
2006292169.tif 000011
【図１０】
2006292169.tif 000012
【図１１】
2006292169.tif 000013